(57)【要約】【課題】切断を的確に且つ容易に行うことができ、ジョー間に全体を入れてしまうことができない太さの被切断物の処理も容易なものとする。【解決手段】軸４による連結で相対的に回動自在で駆動手段によって開閉される対のジョー２，３と、上記軸と直交する方向の刃先を有してこれらジョーの対向面側に夫々配された切断用の刃２０，３０と、上記軸と平行な方向の刃先を有して各ジョーの先端縁に夫々設けられた裂き刃２１，３１とからなる。ジョー２の刃２０は凹円弧状、ジョー３の凹円弧状をなす内周側に設けられた刃３０は凸円弧状で、ジョー３の裂き刃３１のある先端部は刃３０が配された部分よりもジョー２側に伸びて、両ジョー２，３を閉じた時にジョー２の先端部がジョー３の先端部の内側に入り込む。【選択図】図１
2008248640.tif 000002
【特許請求の範囲】
【請求項１】
パワーショベル系の土木建設機械のブーム先端に装着されて木材などの切断に供される切断装置であって、軸による連結で相対的に回動自在であるとともに少なくとも一方のジョーを駆動する駆動手段によって開閉される対のジョーと、上記軸と直交する方向の刃先を有してこれらジョーの対向面側に夫々配された切断用の刃と、上記軸と平行な方向の刃先を有して各ジョーの先端縁に夫々設けられた裂き刃とからなり、一方のジョーに設けられた上記刃は凹円弧状をなし、他方のジョーの凹円弧状をなす内周側に設けられた上記刃は凸円弧状をなしており、該他方のジョーにおける上記裂き刃が設けられた先端部は、上記凸円弧状の刃が配された部分よりも一方のジョー側に伸びて、両ジョーを閉じた時に一方のジョーの先端部が他方のジョーの先端部の内側に入り込むものとなっていることを特徴とする切断装置。
【請求項２】
上記他方のジョーは軸を中心に回動自在なものであるとともに、その先端部内周面は軸を中心とする半径の円弧面となっていることを特徴とする請求項１記載の切断装置。
【請求項３】
他方のジョーの凸円弧状の刃は着脱自在であることを特徴とする請求項１または２記載の切断装置。
【発明の詳細な説明】
【技術分野】
【０００１】
本発明は、パワーショベル系の土木建設機械のブーム先端に装着されて木材などの切断に供される切断装置に関する。
【背景技術】
【０００２】
ブームの先端に装着されて木材の切断に供する切断装置として、図８に示すものがある。上記ブームの先端に連結固定されるベース１と、ベース１に一体に形成もしくは固定された固定ジョー２と、ベース１及び固定ジョー２に対して軸４によって回動自在に連結された可動ジョー３と、一端をベース１に、他端を可動ジョー３に連結されてその伸縮に伴って可動ジョー３を回動させる油圧シリンダー５とからなる該切断装置は、固定ジョー２と可動ジョー３の対向する面に上記軸４と直交する方向の刃先を備える切断用の刃２０，３０が夫々取り付けられており、油圧シリンダー５で可動ジョー３を固定ジョー２側に動かした時、両ジョー２，３間に挟んだ被切断物を刃２０，３０によって切断する。この鋏型に構成された切断装置は、長尺の丸太をその長手方向と直交する方向に切断するのに適した形態であるが、直径が大きい丸太を切断することはできない。
【０００３】
一方、図９に示すように、固定ジョー２の先端縁と可動ジョー３の先端縁とに前記軸４と平行な刃先を備える裂き刃２１，３１を設けたものも提供されている。このものでは、図１０に示すように、被切断物（丸太）９の外周面に裂き刃２１，３１を食い込ませたり、短尺の被切断物（根株等）の両端面に裂き刃２１，３１を食い込ませていけば、被切断物９を径方向において裂いてしまうことができる。
【０００４】
そして上記の２種の刃２０，２１，３０，３１を備えたものが特許文献１に提案されているが、ここで示されたものは、刃２０，３０が直線状の刃先を有するものを中央部が凹となるように並べて構成していることから、刃２０，３０による切断の切れ味が良くないという問題点を有する上に、裂き刃２１，３１を被切断物の外周面に当てて被切断物を裂く時、刃２０，３０並びにジョーが被切断物に当たって負荷が大きくなってしまうという問題を有している。
【特許文献１】特開２００３−２６６３６９
【発明の開示】
【発明が解決しようとする課題】
【０００５】
本発明は上記の従来の問題点に鑑みて発明したものであって、長尺の被切断物を短尺にする切断を的確に且つ容易に行うことができる上に、ジョー間に全体を入れてしまうことができない太さの被切断物の処理も容易に行うことができる切断装置を提供することを課題とするものである。
【課題を解決するための手段】
【０００６】
上記課題を解決するために本発明に係る切断装置は、パワーショベル系の土木建設機械のブーム先端に装着されて木材などの切断に供される切断装置であって、軸による連結で相対的に回動自在であるとともに少なくとも一方のジョーを駆動する駆動手段によって開閉される対のジョーと、上記軸と直交する方向の刃先を有してこれらジョーの対向面側に夫々配された切断用の刃と、上記軸と平行な方向の刃先を有して各ジョーの先端縁に夫々設けられた裂き刃とからなり、一方のジョーに設けられた上記刃は凹円弧状をなし、他方のジョーの凹円弧状をなす内周側に設けられた上記刃は凸円弧状をなしており、該他方のジョーにおける上記裂き刃が設けられた先端部は、上記凸円弧状の刃が配された部分よりも一方のジョー側に伸びて、両ジョーを閉じた時に一方のジョーの先端部が他方のジョーの先端部の内側に入り込むものとなっていることに特徴を有している。
【０００７】
上記他方のジョーは軸を中心に回動自在なものであるとともに、その先端部内周面は軸を中心とする半径の円弧面となっていることが、裂き刃による被切断物の引き裂きに際して被切断物がジョー間に押し込まれて詰まってしまうことがなくて好ましい。
【０００８】
また、他方のジョーの凸円弧状の刃が着脱自在であると、裂き刃による引き裂きを行う時に刃が邪魔になったり抵抗を大きくしたりしてしまうことを刃の取り外しによって防ぐことができる。
【発明の効果】
【０００９】
本発明は凸円弧状の刃を有しているために、被切断物の切断を円滑に行うことができるものであり、しかも凸円弧状の刃を有するジョーの先端部には刃がなくて一方のジョー側に伸びているために、被切断物が刃で押されてジョー間から抜け出てしまうことがなく、また、伸びた先端部で被切断物を掬うことができるために、刃による切断を的確に且つ容易に行うことができる。しかも切断用の刃が凸円弧状となっているとはいえ、伸びた先端部に裂き刃があるために、裂き刃によって被切断物を引き裂く時に凸円弧状の刃が邪魔になったり引き裂きの邪魔になったりする虞が少なく、太く長尺な被切断物を引き裂いて細くした上に短く切断するという一連の作業をこなすことができる。
【発明を実施するための最良の形態】
【００１０】
以下、本発明を添付図面に示す実施形態に基いて説明すると、図１〜図３において、ベース１と固定ジョー２及び軸４によって回動自在となっている可動ジョー３並びに油圧シリンダー５で構成される点において、従来例と同じ構成であり、また、固定ジョー２の内周面側と可動ジョー３の内周面側とに軸４と直交する方向の刃先を備える刃２０，３０が夫々設けられ、固定ジョー２の先端縁と可動ジョー３の先端縁とに軸４と平行な刃先を備える裂き刃２１，３１が形成されている点で、上記特許文献１に示されたものと同じであるが、固定ジョー２に設けた刃２０を凹円弧状とし、可動ジョー２に設けた刃３０を凸円弧状としている。また、上記刃２０，３０は夫々１つだけであり、各ジョー２，３の幅方向中央部に配設しているとともに、刃３０は可動ジョー３に対して着脱自在としている。
【００１１】
そして上記可動ジョー３は、側面形状がＪ字形に大きく湾曲したものとなっており、裂き刃３１が設けられた先端部の内面側の曲率半径は、上記軸４を中心とする円弧を描くものとしてあるとともに、固定ジョー２に対して可動ジョー３を閉じた時、固定ジョー２の先端部外周側に可動ジョー３の先端部が被さるようにしてある。つまり裂き刃２１の外側に裂き刃３１がくるようにしてある。
【００１２】
更に上記凸円弧状の刃３０は、可動ジョー３の内周側の全長にわたって設けるのではなく、固定ジョー２に対して可動ジョー３を閉じた時に可動ジョー３の内側に固定ジョー２が入り込む分を除いた領域に配したものとし、固定ジョー２に対して可動ジョー３を閉じた時、凹円弧状の刃２０と凸円弧状の刃３０との刃先がほぼ全長にわたり重なるようにしてある。
【００１３】
このような刃２０，３０と裂き刃２１，３１とを備える切断破砕装置においては、固定ジョー２と可動ジョー３との間に入れてしまうことができる径の被切断物（丸太）９については、図４に示すように、被切断物９をその長手方向と直交する方向に刃２０，３０で切断することができる。
【００１４】
この時、刃３０は凸円弧状であって被切断物９が刃３０に対して滑りやすくなっているために、切れ味の良い切断を行うことができるものであり、また刃３０に対して被切断物９が滑りやすくなっているとはいえ、可動ジョー３の先端部は刃３０が設けられた領域よりも先に伸びていて、固定ジョー２及び可動ジョー３の先端部が切断される被切断物９を刃２０，３０側に押さえ込んで、刃２０，３０から被切断物９が逃げてしまうことを防ぐために、確実に被切断物９を切断することができる。
【００１５】
しかも、可動ジョー３の先端部の刃３０が無い部分は、被切断物９の切断を行うにあたり、被切断物９を掬って刃２０，３０側に被切断物９を送るものとして機能するために、被切断物９を捉えて刃２０，３０側に送り込むことが容易であり、また、この切断に際して裂き刃２１，３１が邪魔になってしまうことがないために、的確に且つ容易に被切断物９を切断することができる。
【００１６】
そして被切断物９の径が大きくて、刃２０，３０間に被切断物９を入れることができない場合は、被切断物９の外面に固定ジョー２の先端の裂き刃２１と可動ジョー３の先端の裂き刃３１とを当てて、固定ジョー２に対して可動ジョー３を閉じることで、図５に示すように、被切断物９に裂き刃２１，３１を食い込ませて被切断物９を引き裂くことができる。特に、図に示すように、丸太である被切断物９の外周面に裂き刃２１，３１を食い込ませて被切断物９をその径方向において割ることを容易に行うことができる。このようにして割ることで径が小さくなった被切断物９は、前述の刃２０，３０による切断で短尺にすることができる。
【００１７】
なお、裂き刃２１，３１が被切断物９に食い込み始める時点では、刃２０，３０が邪魔になることはない。また、裂き刃２１，３１が被切断物９に大きく食い込んだ時点では刃２０，３０が被切断物９の長手方向と直交する方向の切断を開始するが、刃２０，３０が被切断物９に入り込む量はさほど多くなく、このために裂き刃２１，３１による被切断物９の切断負荷を刃２０，３０が大きくしてしまうことはない。
【００１８】
もっとも、被切断物９の径が更に大きくなれば、凸円弧状である刃３０が被切断物９に当たることになるが、このような時には図６に示すように可動ジョー３に対して着脱自在とされている刃３０を取り外して、裂き刃２１，３１による裂き作業を行えばよい。裂き刃２１，３１の刃先を被切断物９に食い込ませる時に刃３０が裂き刃２１，３１の間から被切断物９を外へ押し出してしまうことがなく、また刃３０が被切断物９に食い込んで切断負荷を増大させてしまうこともない。
【００１９】
このほか、図９に示した裂き刃２１，３１を備えたものでは、可動ジョー３の裂き刃３１が固定ジョー２の裂き刃２１の内側に入り込むようになっているために、被切断物９を裂き刃２１，３１で引き裂く時、図１０に示すように、裂き刃３１が被切断物９を固定ジョー２側に押し付ける方向に移動する軌跡を描くものであり、このために、固定ジョー２と可動ジョー３との間に被切断物９が挟まって被切断物９を引き裂くことができなくなることがあったが、ここでは前述のように可動ジョー３の裂き刃３１が設けられた先端部内周面を軸４を中心とする円弧を描く面とすると同時に固定ジョー２の裂き刃２１の外側にくるようにしているために、裂き刃３１が被切断物９に食い込んでいく時、裂かれた被切断物９が可動ジョー３によって固定ジョー２側に押し込まれることはなく、可動ジョー３の外側に押し出されるものであり、このために被切断物９が両ジョー２，３間に詰まってしまうことがないものである。
【００２０】
上記実施例においては、固定ジョー２と可動ジョー３とからなるものを示したが、対となるジョー２，３が共に可動となっているものであってもよい。また、ここでは油圧シリンダー５を駆動手段としているものを示したが、これに限るものではない。
【００２１】
さらに凸円弧状である刃３０は、滑らかな円弧を描くものとして形成してあるが、これに限るものではなく、全体として凸円弧状をなすものであれば小さな鋸刃が並ぶものであってもよい。
【図面の簡単な説明】
【００２２】
【図１】本発明の実施の形態の一例の斜視図である。
【図２】同上の側面図である。
【図３】同上の閉じた状態の側面図である。
【図４】同上の刃による切断時の側面図である。
【図５】同上の裂き刃による引き裂き時の側面図である。
【図６】同上の裂き刃による引き裂き時の他の側面図である。
【図７】同上の可動ジョー側の裂き刃の動作を示す側面図である。
【図８】従来例の側面図である。
【図９】他の従来例を示すもので、(a)(b)は側面図である。
【図１０】同上の動作を示す側面図である。
【符号の説明】
【００２３】
１  ベース
２  固定ジョー
３  可動ジョー
４  軸
５  油圧シリンダー
２０  刃
２１  裂き刃
３０  刃
３１  裂き刃
【図１】
2008248640.tif 000003
【図２】
2008248640.tif 000004
【図３】
2008248640.tif 000005
【図４】
2008248640.tif 000006
【図５】
2008248640.tif 000007
【図６】
2008248640.tif 000008
【図７】
2008248640.tif 000009
【図８】
2008248640.tif 000010
【図９】
2008248640.tif 000011
【図１０】
2008248640.tif 000012